(57)【要約】【課題】２円ルールに適合しながら、より高いスピン量が得られるゴルフクラブヘッドを提供すること。【解決手段】フェース面に複数本のスコアラインが形成されたゴルフクラブヘッドにおいて、前記フェース面に対する前記スコアラインの側壁の角度θが５６度未満であって、前記側壁と前記フェース面とに内接する半径０．２５４ｍｍの仮想円の中心点をＣｐ、前記仮想円と前記フェース面との接点をＦ、前記仮想円と前記側壁との接点をＧ、前記スコアラインの縁部のうち、前記接点Ｆから前記接点Ｇまでの区間において前記中心点Ｃｐから最も離れた点をＰ、前記中心点Ｃｐから前記点Ｐまでの長さをＤ（ｍｍ）とすると、Ｄ＞０．２５４／ｃｏｓ（θ／２）、かつ、０．２７０≦Ｄ≦０．２８７ｍｍであることを特徴とする。【選択図】図３
2010240263.tif 000002
【特許請求の範囲】
【請求項１】
フェース面に複数本のスコアラインが形成されたゴルフクラブヘッドにおいて、
前記フェース面に対する前記スコアラインの側壁の角度θが５６度未満であって、
前記側壁と前記フェース面とに内接する半径０．２５４ｍｍの仮想円の中心点をＣｐ、前記仮想円と前記フェース面との接点をＦ、前記仮想円と前記側壁との接点をＧ、前記スコアラインの縁部のうち、前記接点Ｆから前記接点Ｇまでの区間において前記中心点Ｃｐから最も離れた点をＰ、前記中心点Ｃｐから前記点Ｐまでの長さをＤ（ｍｍ）とすると、
Ｄ＞０．２５４／ｃｏｓ（θ／２）、かつ、
０．２７０≦Ｄ≦０．２８７ｍｍ
であることを特徴とするゴルフクラブヘッド。
【請求項２】
０．２８０≦Ｄ≦０．２８７
であることを特徴とする請求項１に記載のゴルフクラブヘッド。
【請求項３】
前記スコアラインの縁部のうち、前記接点Ｆと前記接点Ｇとの間の区間に、前記点Ｐを有する隆起部を備え、
前記点Ｐで交差する仮フェース面と、仮側壁とを形成し、不要部分を除去することで前記隆起部を形成したことを特徴とする請求項１又は２に記載のゴルフクラブヘッド。
【発明の詳細な説明】
【技術分野】
【０００１】
本発明はゴルフクラブヘッドに関し、特に、フェース面のスコアラインに関するものである。
【背景技術】
【０００２】
一般に、ゴルフクラブヘッドのフェース面にはトウ−ヒール方向に互いに平行な複数の直線状の溝が形成されている（特許文献１及び２）。この溝はスコアライン、マーキングライン、フェースライン等と呼ばれている（本書においてはスコアラインと称する。）。このスコアラインは、打球のバックスピン量を増大させたり、或いは、雨天時やラフからのショットの場合に、打球のバックスピン量が著しく低減することを抑制する効果がある。
【０００３】
ここで、競技用のゴルフクラブヘッドのスコアラインに関するルールでは、スコアラインの側壁とフェース面とに内接する半径０．０１０インチの仮想円と同心であって、半径０．０１１インチの仮想円の内側に、スコアラインの縁が位置しなければならないことを原則とするルールが規定されている（以下、２円ルールという。）。例外的に、この２円ルールでは、スコアラインの縁が、半径０．０１１インチの仮想円を超えていても、半径０．０１１インチの仮想円と、この仮想円を超えたスコアラインの縁の輪郭とが交わる２交点と、仮想円の中心とを結ぶ２線分間の狭角が１０度以下であれば適合とされる（以下、最大角度ルールという）。但し、スコアラインの縁が、仮想円の中心から０．０１１３インチ（０．２８７ｍｍ）を超えることは許されない（以下、最大突出ルールという）。
【先行技術文献】
【特許文献】
【０００４】
【特許文献１】特開平１０−２４８９７４号公報
【特許文献２】特開２００５−１６９１２９号公報
【発明の概要】
【発明が解決しようとする課題】
【０００５】
２円ルールを満たすためには、基本的に、フェース面に対するスコアラインの側壁の角度を小さくせざるを得ない。これは、打球のスピン量を低下させる。
【０００６】
本発明の目的は、２円ルールに適合しながら、より高いスピン量が得られるゴルフクラブヘッドを提供することにある。
【課題を解決するための手段】
【０００７】
本発明によれば、フェース面に複数本のスコアラインが形成されたゴルフクラブヘッドにおいて、前記フェース面に対する前記スコアラインの側壁の角度θが５６度未満であって、前記側壁と前記フェース面とに内接する半径０．２５４ｍｍの仮想円の中心点をＣｐ、前記仮想円と前記フェース面との接点をＦ、前記仮想円と前記側壁との接点をＧ、前記スコアラインの縁部のうち、前記接点Ｆから前記接点Ｇまでの区間において前記中心点Ｃｐから最も離れた点をＰ、前記中心点Ｃｐから前記点Ｐまでの長さをＤ（ｍｍ）とすると、Ｄ＞０．２５４／ｃｏｓ（θ／２）、かつ、０．２７０≦Ｄ≦０．２８７ｍｍであることを特徴とするゴルフクラブヘッドが提供される。
【発明の効果】
【０００８】
本発明によれば、２円ルールに適合しながら、より高いスピン量が得られるゴルフクラブヘッドを提供することができる。
【図面の簡単な説明】
【０００９】
【図１】本発明の一実施形態に係るゴルフクラブヘッド１の外観図である。
【図２】（Ａ）はスコアライン２０の、その長手方向（トウ−ヒール方向）に直交する方向の断面図、（Ｂ）はスコアライン２０の他の断面形状の例を示す断面図である。
【図３】図２（Ａ）の円Ｔ部分の拡大図である。
【図４】隆起部２３の他の例を示す図である。
【図５】隆起部２３の他の例を示す図である。
【図６】隆起部２３の形成方法の例を示す図である。
【図７】隆起部２３の形成方法の例を示す図である。
【図８】試打結果を示す図である。
【発明を実施するための形態】
【００１０】
図１は本発明の一実施形態に係るゴルフクラブヘッド１の外観図である。同図の例はアイアン型のゴルフクラブヘッドに本発明を適用した例を示す。本発明は、アイアン型のゴルフクラブヘッド、特に、ミドルアイアン、ショートアイアン、ウェッジ型のゴルフクラブヘッドに好適であり、具体的には、ロフト角が２５度以上７０度以下、ヘッド重量が２００ｇ以上３２０ｇ以下のゴルフクラブヘッドに好適である。しかし、本発明はウッド型やユーティリティー型のゴルフクラブヘッドにも適用できる。
【００１１】
ゴルフクラブヘッド１は、そのフェース面（打撃面）１０に複数のスコアライン２０が形成されている。各々のスコアライン２０はトウ−ヒール方向に延在した、互いに平行な直線状の溝である。本実施形態の場合、各々のスコアライン２０の配設間隔（ピッチ）は等間隔（等ピッチ）であるが、配設間隔が異なっていてもよい。
【００１２】
図２（Ａ）は、スコアライン２０の、その長手方向（トウ−ヒール方向）に直交する方向の断面図である。本実施形態において、スコアライン２０の断面形状は、その長手方向の両端部（トウ側端部、ヒール側端部）を除き、同じである。また、各々のスコアライン２０の断面形状は同じである。
【００１３】
スコアライン２０は、一対の側壁２１及び底壁２２を有する。本実施形態の場合、側壁２１は、フェース面１０側の側壁２１ａと、フェース面１０とは反対側の側壁２１ｂとを有する。上側壁２１ａはその上端がフェース面１０と連続している。下側壁２１ｂはその上端が側壁２１ａの下端と連続し、その下端は底壁２２と連続している。なお、本実施形態の場合、側壁２１が、フェース面１０に対する角度が互いに異なる２面を有するが、スコララインの側壁として一般的に採用される１面のみの構成でもよく、また、一対の側壁２１の各下端を連続させて底壁２２が無い構成も採用可能である。例えば、図２（Ｂ）は、スコアライン２０の他の断面形状の例を示す断面図であり、側壁２１が一面の構成で、かつ、図２（Ａ）の例の底壁２２が無く、Ｖ字状に構成されたものである。
【００１４】
図２（Ａ）の例に戻り、スコアライン２０の断面形状は、その中心線ＣＬで左右対称である。幅Ｗはスコアライン２０の幅を示し、競技用ゴルフクラブのルールの、いわゆる３０度測定法により測定した場合の幅を意味する。深さＤｐはフェース面１０から底壁２２までの距離であり、０．０２０インチ（０．５０８ｍｍ）以下である。
【００１５】
仮想円Ｃ１は、側壁２１とフェース面１０とに内接する半径０．０１０インチ（０．２５４ｍｍ）の円であり、仮想円Ｃ２は、仮想円Ｃ１と同心であって、半径０．０１１インチの円である。仮想円Ｃ１は、本実施形態の場合、側壁２１のうち、側壁２１ａに内接している。角度θは、フェース面１０に対する側壁２１の角度であり、本実施形態のように側壁２１が複数の側壁２１ａ及び２１ｂから構成される場合は、仮想円Ｃ１が内接する側壁２１ａの角度とする。上述した２円ルールに適合するためには、仮想円Ｃ２の内側にスコアライン２０の縁部（フェース面１０と側壁２１ａとの境界部分）が位置している必要がある。
【００１６】
図３は図２（Ａ）の円Ｔ部分の拡大図であり、スコアライン２０の縁部の拡大断面図である。本実施形態の場合、スコアライン２０の縁部に隆起部２３が形成されている。ここで、中心点Ｃｐは仮想円Ｃ１（及び仮想円Ｃ２）の中心点であり、接点Ｇは側壁２１ａと仮想円Ｃ１との接点、接点Ｆはフェース面１０と仮想円Ｃ１との接点である。隆起部２３は接点Ｆと接点Ｇとの間の区間に形成されている。線Ｌ１はフェース面１０の仮想延長線で、線Ｌ２は側壁２１ａの仮想延長線である。点Ｐは、スコアライン２０の縁部の輪郭上の点であって、接点Ｆから接点Ｇまでの区間において中心点Ｃｐから最も離れた点であり、本実施形態の場合、隆起部２３の頂点である。点Ｐ'は線Ｌ１と線Ｌ２との交点であり、隆起部２３を設けなかったときに、中心点Ｃｐから最も離れた点となる。半径Ｒ１は仮想円Ｃ１の半径であり、０．０１０インチ（０．２５４ｍｍ）である。長さＤは、中心点Ｃｐと点Ｐとの間の距離である。
【００１７】
ここで、隆起部２３を形成しなかった場合を想定する。中心点Ｃｐと点Ｐ'との間の距離（ｍｍ）は、図２（Ａ）の角度θにより、０．２５４／ｃｏｓ（θ／２）で表せる。そして、幾何学上、角度θが５６度以上となると、中心点Ｃｐと点Ｐ'との間の距離が０．０１１３インチを超えて２円ルールに違反する場合が生じ得る。その一方、角度θが５６度未満であると、打球のスピン量が大きく低下する場合がある。
【００１８】
そこで、本実施形態では、図２（Ａ）に示した角度θを５６度未満とし、Ｄ＞０．２５４／ｃｏｓ（θ／２）とする。つまり、Ｐ点が、Ｐ'点よりも中心点Ｃｐから離れるように隆起部２３を形成することで、ゴルフボールとフェース面１０との引っかかりをよくし、打球のスピン量を向上する。また、０．２７０ｍｍ≦Ｄ≦０．２８７ｍｍとする。Ｄ＞０．２８７ｍｍ（≒０．０１１３インチ）となると上記の最大突出ルールにより２円ルールに違反する。Ｄ＜０．２７０ｍｍであると、十分なスピン量が得られない場合がある。なお、隆起部２３の一部が仮想円Ｃ２を超える場合、上記の最大角度ルールを満たすようにする。
【００１９】
図３の例において、隆起部２３は、点Ｐと中心点Ｃｐとを結ぶ線に対して左右対称であるが、このように左右対称でなくてもよい。図４及び図５は、隆起部２３の他の例を示す図である。図４の例では、隆起部２３はフェース面１０のみから隆起しており、側壁２１ａからは隆起していない。逆に、図５の例では、隆起部２３は、側壁２１ａのみから隆起しておりフェース面１０からは隆起していない。
【００２０】
なお、競技用ゴルフクラブヘッドの場合、スコアライン２０の断面積、隣接するスコアライン間のピッチが、ルール上、断面積Ａ（inch2）／ピッチ（inch）≦０．００３である必要がある。メートル単位の場合、断面積Ａ（mm2）／ピッチ（mm）≦０．０７６２である。ゴルフクラブヘッド１を競技用ゴルフクラブヘッドとする場合は、このルールを満たすように設計する。
【００２１】
次に、図３に示した隆起部２３の形成方法の例について説明する。まず、フェース面１０を形成するフェース部材を用意する。このフェース部材は、ゴルフクラブヘッドをフェース部と本体部とから別々に構成して組み付ける場合は、フェース部を構成する部材、本体部とソール部とから別々に構成して組み付ける場合は本体部を構成する部材、全体を一つの部材で形成する場合はその部材である。そして、フェース部材に仮フェース面、仮スコアラインを形成する。このとき、仮フェース面と、仮スコアラインの側壁とが点Ｐで交差するようにする。続いて、不要な部分を除去してフェース面１０、側壁２１、隆起部２３を形成する。このように２段階の加工で形成することができる。
【００２２】
図６は隆起部２３の形成方法の例を示す図である。フェース部材Ｍには、仮フェース面１０'、仮スコアライン２０'が形成されている。本実施形態の場合、仮スコアライン２０'のうち、側壁２１ａ'は仮の形状であるが、側壁２１ｂ、底壁２２は最終形状のものである。図６に示すように、仮フェース面１０）と側壁２１ａ'とは点Ｐにおいて交差している。仮フェース面１０'、仮スコアライン２０'は切削加工、鍛造加工、鋳造加工等により形成できる。次に、図６に示すように、不要部分Ｊを除去して隆起部２３を形成する。不要部分Ｊの削除方法としては、切削加工、研磨加工、ショットブラスト加工、ショットピーニング加工、酸洗浄等の化学処理が挙げられる。
【００２３】
図７は隆起部２３の形成方法の別の例を示す図である。同図の例では、フェース部材Ｍに仮フェース面１０'が形成されているが、仮スコアライン２０'は形成せずに、最終形状のスコラライン２０を形成している。つまり、隆起部２３のスコアライン２０側の部分は、スコアライン２０の形成時に同時に形成しておく。そして、不要部分Ｊを除去して隆起部２３を形成する。図４、図５に示した隆起部２３も同様に２段階の加工で形成することができるが、図５の形態の場合は、フェース面１０側の加工が不要なのでスコアライン２０の形成と同時に隆起部２３も加工すれば１段階の加工で足りる。
【実施例】
【００２４】
スコアラインの長さＤのみが異なるゴルフクラブヘッドを＃１乃至＃８まで８個作成し、これらをそれぞれ装着したゴルフクラブで試打を行った。各ゴルフクラブヘッドはロフト角が５８度のウェッジであり、そのスコアラインが図２（Ａ）に示した断面形状のものとし、いずれも、幅Ｗが０．８８ｍｍ、深さＤｐが０．４５ｍｍ、角度θが５０度、ピッチが３．６ｍｍで、長さＤのみが異なるものとした。試打は、グリーンから４０ヤード離れた地点からグリーンへ複数回ゴルフクラブを打撃することにより行い、目視でのゴルフボールのグリーン上での止まり具合からバックスピン量をＡ〜Ｅの５段階で相対的に評価し、また、ゴルフボールの傷つき具合を目視にてＡ〜Ｅの５段階で相対的に評価した。
【００２５】
図８はその試打結果を示す図である。長さＤは設計値である。バックスピン量及び傷つき度合いの評価Ａ〜Ｅは、それぞれ、Ａ：非常によい、Ｂ：良い、Ｃ：普通、Ｄ：悪い、Ｅ：非常に悪い、であり、試打者の感覚で、評価Ａ乃至Ｃが許容レベルであった。
【００２６】
図８の実験結果から、バックスピン量に関しては、長さＤが長い程、良い結果が出ており、傷つき具合に関しては、長さＤが長い程、悪い結果が出ている。バックスピン量の観点から、長さＤは少なくとも０．２７０ｍｍ以上は必要である。長さＤが、０．２７４ｍｍ以上でバックスピン量の評価がＢ以上であり、０．２８７ｍｍに至ると評価がＡであることから、長さＤは０．２８０ｍｍ以上であることが好ましい。
【００２７】
一方、上記の通り、長さＤが０．２８７ｍｍを超えると２円ルールに違反し、傷つき具合の評価もＤである（＃８）。よって、長さＤは、０．２７０ｍｍ以上、０．２８７ｍｍ以下であり、好ましくは、０．２８０ｍｍ以上、０．２８７ｍｍ以下である。
【図１】
2010240263.tif 000003
【図２】
2010240263.tif 000004
【図３】
2010240263.tif 000005
【図４】
2010240263.tif 000006
【図５】
2010240263.tif 000007
【図６】
2010240263.tif 000008
【図７】
2010240263.tif 000009
【図８】
2010240263.tif 000010